(57)【要約】      （修正有）【課題】レーザーダイオードと発光ダイオードが照射する赤色光波長或いは青色光波長により、植物の成長を促すことができるとともに、省エネ・エコ・放射線がでないという利点を備え、植物の成長に無効な光が生じないライト装置を提供する。【解決手段】第一光領域１１を照射する少なくとも一つのレーザーダイオード１と、第二光領域２１を照射する少なくとも一つの発光ダイオード２とからなる。レーザーダイオード１と発光ダイオード２は、赤色光波長或いは青色光波長をそれぞれ照射する。前記第二光領域２１における発光ダイオード２から離れた箇所と、前記第一光領域１１とが重なった箇所は、光重複領域３を形成する。【選択図】図１
0003177186.tif 000002
【実用新案登録請求の範囲】
【請求項１】
第一光領域を照射する少なくとも一つのレーザーダイオードと、第二光領域を照射する少なくとも一つの発光ダイオードとからなる、ライト装置であって、
前記第二光領域における発光ダイオードから離れた箇所と、前記第一光領域とが重なった箇所は、光重複領域を形成することを特徴とするライト装置。
【請求項２】
前記レーザーダイオード（Ｌａｓｅｒ  Ｄｉｏｄｅ）は、赤色光波長或いは青色光波長の内の一つであり、前記発光ダイオード（Ｌｉｇｈｔ  Ｅｍｉｔｔｉｎｇ  Ｄｉｏｄｅ）は、青色光波長或いは赤色光波長の内の一つであり、前記レーザーダイオード（Ｌａｓｅｒ  Ｄｉｏｄｅ）及び発光ダイオード（Ｌｉｇｈｔ  Ｅｍｉｔｔｉｎｇ  Ｄｉｏｄｅ）は制御ユニットに電気的に接続されることを特徴とする、請求項１に記載のライト装置。
【考案の詳細な説明】
【技術分野】
【０００１】
本考案はライト装置に関し、特に使用寿命が長く、省エネ・エコであり、光エネルギーの利用効率が高く、放射線がでず、植物の成長に無効な光が生じないライト装置に関する。
【背景技術】
【０００２】
植物が成長する環境において、光のスペクトルの波長は、植物の成長の良し悪しに影響を与え、一般的には、赤の色温度と青の色温度に分けられる。青の色温度は、植物の光合作用に対する影響が最も大きく、赤の色温度は、光合作用と光周期反応に対して著しい影響がある。今のところ明らかになっているのは、異なる波長の光線が植物の光合作用に与える影響はそれぞれ異なり、植物が光合作用を行って花が咲く時、葉緑素の吸收ピーク値が６６０ｎｍ前後の赤色光エネルギーが成長を促す。花蕊が形成される時は、４５０ｎｍ前後の青色光エネルギーが成長を促す。従って、植物照明を組み合わせる上で、赤色の照明と青色の照明の比率は特に重要であり、青色は直物の葉身の成長に役立ち、赤色は、植物の花が咲くのと実がなるのに役に立つ。しかしながら、一般の市場で出回っている植物照明から生じる光は、對植物の成長に役立たない紫外線と赤外線を放射するため、大量の電気エネルギーを消費し、エネルギーの節約ができないだけでなく、植物の成長にはあまり役立たない。
【考案の概要】
【考案が解決しようとする課題】
【０００３】
そこで、本考案は、レーザーダイオードと発光ダイオードが照射する赤色光波長或いは青色光波長により、植物の成長を促すことができるとともに、省エネ・エコ・放射線がでないという利点を備え、植物の成長に無効な光が生じないライト装置を提供することを目的とする。
【０００４】
また、本考案は、レーザーダイオード（Ｌａｓｅｒ  Ｄｉｏｄｅ）が単一の３８０ｎｍ〜７５０ｎｍの波長を提供し、エネルギーが集中するため、植物の成長を促すことができるライト装置を提供することを目的とする。
【０００５】
また、本考案は、発光ダイオード（Ｌｉｇｈｔ  Ｅｍｉｔｔｉｎｇ  Ｄｉｏｄｅ）が、一般の植物ライトと比べて電気エネルギーを７０％以上節約できるため、使用寿命が長く、エコと省エネ効果を備え、光エネルギーの利用効率が高く、植物の成長に無効な光が生じないライト装置を提供することを目的とする。
【課題を解決するための手段】
【０００６】
上述の目的を達するために、本考案によるライト装置は、第一光領域を照射する少なくとも一つのレーザーダイオードと、第二光領域を照射する少なくとも一つの発光ダイオードとからなる。レーザーダイオードと発光ダイオードは、赤色光波長或いは青色光波長をそれぞれ照射する。前記第二光領域における発光ダイオードから離れた箇所と、前記第一光領域とが重なった箇所は、光重複領域を形成する。光重複領域内には植物を置き、植物がこの光重複領域に照射された時、赤と青の混合光の強弱と明滅が、制御ユニットによって制御される。即ち、植物が赤色光波長及び青色光波長を同時に吸収し（即ち、いわゆる混合光）、植物の成長に対して最も優れた波長を得ることができ、それにより、植物の葉片の成長を促すことができるとともに、植物の花が咲きやすくなり、実がなりやすくなる。
【考案の効果】
【０００７】
上述の技術により、従来の植物ライトに存在した問題点である、植物の成長に無効な紫外線と赤外線を放射する、大量の電気エネルギーを浪費するといった欠点を解決することができるため、実用進歩性を達成することができる。
【図面の簡単な説明】
【０００８】
【図１】本考案の好ましい実施例の平面図である。
【図２】本考案の好ましい実施例のブロック図である。
【図３】本考案の好ましい実施例の実施を示した説明図である。
【図４】本考案の好ましい実施例の波長を示した説明図１である。
【図５】本考案の好ましい実施例の波長を示した説明図２である。
【考案を実施するための形態】
【０００９】
図１と図２を参照する。図１は、本考案の好ましい実施例の平面図であり、図２は、本考案の好ましい実施例のブロック図である。図から分かるように、本考案は、赤色光波長或いは青色光波長の内の一つである少なくとも一つのレーザーダイオード１と、赤色光波長或いは青色光波長の内の一つである少なくとも一つの発光ダイオード２とからなる。
【００１０】
発光ダイオード１は、第一光領域１１を照射し、発光ダイオード２は第二光領域２１を照射し、第二光領域２１における発光ダイオード２から離れた箇所と、第一光領域１１とが重なっている箇所は、光重複領域３を形成する。また、レーザーダイオード１（Ｌａｓｅｒ  Ｄｉｏｄｅ）及び発光ダイオード２（Ｌｉｇｈｔ  Ｅｍｉｔｔｉｎｇ  Ｄｉｏｄｅ）は、制御ユニット４に電気的に接続され、制御ユニット４により、光線の強弱或いは明滅を制御することができる。
【００１１】
上述の構造、組合せによる本考案を使用した時の作動状況について以下に説明を行う。図１から図５を同時に参照する。図１は、本考案の好ましい実施例の平面図であり、図２は、本考案の好ましい実施例のブロック図であり、図３は、本考案の好ましい実施例の実施を示した説明図であり、図４は、本考案の好ましい実施例の波長を示した説明図１であり、図５は、本考案の好ましい実施例の波長を示した説明図２である。図から分かるように、制御ユニット４は、レーザーダイオード１及び発光ダイオード２を起動させ作動を開始させる。それにより、レーザーダイオード１は、植物に光合作用を行わせるのに最も優れた赤色光波長（図４、図５から分かるように、３８０ｎｍ〜７５０ｎｍである）の第一光領域１１を照射し、発光ダイオード２は、青色光波長の第二光領域２１を照射する、或いは、レーザーダイオード１が青色光波長を照射し、発光ダイオード２が赤色光波長を照射する。また、第一光領域１１と第二光領域２１が重なる箇所は、光重複領域３を形成する。この光重複領域３は、青色光波長と赤色光波長の混合波長であり、光重複領域３に植物盆栽５を置く。そして、赤色と青色の混合光を制御ユニット４で制御することにより、植物に対する最も優れた成長波長を得ることができ、植物の葉片の成長を促進させ、植物の花が咲きやすくなり、実がなりやすくなる。
【００１２】
全ての図を参照する。本考案を使用すると、従来の技術と比べて、以下の利点が存在する。
一、レーザーダイオード１と発光ダイオード２が照射する赤色光波長或いは青色光波長により、植物の生長を促進することができるとともに、省エネ・エコ、放射線がでないといった利点があり、植物に無効な光が生じない。
二、レーザーダイオード１（Ｌａｓｅｒ  Ｄｉｏｄｅ）が単一の３８０ｎｍ〜７５０ｎｍの波長を提供し、エネルギーが集中するため、植物の成長を促すことができる。
三、発光ダイオード２（Ｌｉｇｈｔ  Ｅｍｉｔｔｉｎｇ  Ｄｉｏｄｅ）が、一般の植物ライトと比べて電気エネルギーを７０％以上節約できるため、使用寿命が長く、エコと省エネ効果を備え、光エネルギーの利用効率が高く、植物の成長に無効な光が生じない。
【符号の説明】
【００１３】
１    レーザーダイオード
１１  第一光領域
２    発光ダイオード
２１  第二光領域
３    光重複領域
４    制御ユニット
５    植物盆栽
【図１】
0003177186.tif 000003
【図２】
0003177186.tif 000004
【図３】
0003177186.tif 000005
【図４】
0003177186.tif 000006
【図５】
0003177186.tif 000007
【手続補正書】
【提出日】平成24年5月23日(2012.5.23)
【手続補正１】
【補正対象書類名】実用新案登録請求の範囲
【補正対象項目名】請求項１
【補正方法】変更
【補正の内容】
【請求項１】
第一光領域を照射する少なくとも一つのレーザーダイオードと、第二光領域を照射する少なくとも一つの発光ダイオードとからなる、ライト装置であって、
少なくとも一つのレーザーダイオードと、少なくとも一つの発光ダイオードは並列に配置され、
前記第二光領域における発光ダイオードから離れた箇所と、前記第一光領域とが重なった箇所は、光重複領域を形成することを特徴とするライト装置。
【手続補正２】
【補正対象書類名】明細書
【補正対象項目名】００１０
【補正方法】変更
【補正の内容】
【００１０】
レーザーダイオード１は、第一光領域１１を照射し、発光ダイオード２は第二光領域２１を照射し、第二光領域２１における発光ダイオード２から離れた箇所と、第一光領域１１とが重なっている箇所は、光重複領域３を形成する。また、レーザーダイオード１（Ｌａｓｅｒ  Ｄｉｏｄｅ）及び発光ダイオード２（Ｌｉｇｈｔ  Ｅｍｉｔｔｉｎｇ  Ｄｉｏｄｅ）は、制御ユニット４に電気的に接続され、制御ユニット４により、光線の強弱或いは明滅を制御することができる。